(57)【要約】【課題】チャイルドプルーフ機能を有しつつ、箱型容器を開放させることが許容されている大人などの対象者が確実に箱型容器を開放させることができる箱型容器を提供すること。【解決手段】枠体３が、容器本体２の上端開口縁に載置された枠フランジ部２１と、枠フランジ部２１の内周縁から下方に延在し、容器本体２の上端開口部内に挿入されると共に、第１係止突出部２２Ａが設けられた枠内周壁部２２と、を有し、蓋体５が、枠フランジ部２１に載置された蓋フランジ部３１と、蓋フランジ部３１の内周縁から下方に延在し、枠内周壁部２２の内側に挿入されると共に、第１係止突出部２２Ａに対して下方から係止可能な第２係止突出部３２Ａが設けられた蓋周壁部３２と、を有し、蓋フランジ部３１のうちヒンジ４に対向する部分には、弾性変形可能である摘み部３４が設けられており、摘み部３４の前端位置が枠フランジ部２１の前端位置と同等である。【選択図】図３
2019131257.tif 000002
【特許請求の範囲】
【請求項１】
内容物を収容する有底筒状の容器本体と、前記容器本体の上端開口縁に配設された枠体と、前記枠体にヒンジを介して連結され、前記枠体の開口部を開閉可能に覆う蓋体と、を備え、
前記枠体が、前記容器本体の前記上端開口縁に載置された枠フランジ部と、前記枠フランジ部の内周縁から下方に延在し、前記容器本体の上端開口部内に挿入されると共に、第１係止部が設けられた枠周壁部と、を有し、
前記蓋体が、前記枠フランジ部に載置された蓋フランジ部と、前記蓋フランジ部の内周縁から下方に延在し、前記枠周壁部の内側に挿入されると共に、前記第１係止部に対して下方から係止可能な第２係止部が設けられた蓋周壁部と、を有し、
前記蓋フランジ部のうち前記容器本体の容器軸を径方向に挟んで前記ヒンジに対向する部分には、弾性変形可能である摘み部が設けられており、
前記摘み部の径方向の外端位置が前記枠フランジ部の径方向の外端位置と同等であることを特徴とする箱型容器。
【請求項２】
前記枠周壁部のうち径方向で前記ヒンジに対向する部分には、前記蓋周壁部のうち径方向で前記ヒンジに対向する部分を径方向の外側に向けて変位させたときに前記ヒンジに向けて付勢する板バネ部が設けられていることを特徴とする請求項１に記載の箱型容器。
【発明の詳細な説明】
【技術分野】
【０００１】
本発明は、箱型容器に関する。
【背景技術】
【０００２】
従来から、箱型容器として、内容物を収容する有底筒状の容器本体と、容器本体にヒンジを介して連結され、容器本体の開口部を開閉可能に覆う蓋体と、を備えるものが提案されている（例えば、特許文献１参照）。このような箱型容器では、蓋体が天壁部と天壁部の外周縁から下方に向けて延設されて容器本体の上端部を囲む外周壁部とを有しており、蓋体の外周壁部の前壁部には、容器本体の前壁部に形成された第１係止部に係止可能な第２係止部が設けられている。そして、蓋体の前壁部を容器本体から引き上げることにより、蓋体を容器本体に対してヒンジ回りに上方へ回動させて容器本体を開放する。
【先行技術文献】
【特許文献】
【０００３】
【特許文献１】特開２０１４−０９１５２８号公報
【発明の概要】
【発明が解決しようとする課題】
【０００４】
しかしながら、このような箱型容器においても、例えば幼児などのような箱型容器を開放することが許容されていない非対象者が容易に容器本体の内容物に触れることを防止するためのチャイルドプルーフ機能を付与することに改善の余地があった。上述した箱型容器では、上記非対象者が蓋体の天壁部及び前壁部を掴むことにより、意図せず第１係止部と第２係止部との係止状態が解除されると共に、蓋体を容器本体に対してヒンジ回りに回動させることがある。特に、上記非対象者である幼児は、大人と比較して指先が器用ではなく、蓋体の天壁部及び前壁部を掴む傾向があるので、容器本体が意図せず開放されることがある。
【０００５】
本発明は、前述の課題に鑑みてなされたもので、チャイルドプルーフ機能を付与した箱型容器を提供することを目的とする。
【課題を解決するための手段】
【０００６】
本発明は、上記課題を解決するために以下のような手段を採用した。すなわち、本発明の箱型容器は、内容物を収容する有底筒状の容器本体と、前記容器本体の上端開口縁に配設された枠体と、前記枠体にヒンジを介して連結され、前記枠体の開口部を開閉可能に覆う蓋体と、を備え、前記枠体が、前記容器本体の前記上端開口縁に載置された枠フランジ部と、前記枠フランジ部の内周縁から下方に延在し、前記容器本体の上端開口部内に挿入されると共に、第１係止部が設けられた枠周壁部と、を有し、前記蓋体が、前記枠フランジ部に載置された蓋フランジ部と、前記蓋フランジ部の内周縁から下方に延在し、前記枠周壁部の内側に挿入されると共に、前記第１係止部に対して下方から係止可能な第２係止部が設けられた蓋周壁部と、を有し、前記蓋フランジ部のうち前記容器本体の容器軸を径方向に挟んで前記ヒンジに対向する部分には、弾性変形可能である摘み部が設けられており、前記摘み部の径方向の外端位置が前記枠フランジ部の径方向の外端位置と同等であることを特徴とする。
【０００７】
この発明では、摘み部が枠フランジ部に対して径方向の外側へ十分に突出しておらず、上記非対象者にとってはこの摘み部に指を引っ掛けて持ち上げる動作を行いにくく、上記非対象者が摘み部を操作することが規制されるので、箱型容器が上記非対象者によって開放されることを抑制できる。ここで、蓋体には上述した箱型容器のように外周壁部の前壁部が設けられていないので、上記非対象者が蓋体を掴んで意図せず容器本体が開放される可能性をより確実に低減できる。
一方、箱型容器を開放することが許容されている対象者は、摘み部と蓋周壁部とを径方向で挟み込むことで摘み部を指に引っ掛けた後、摘み部を捲り上げる。ここで、上記対象者は、例えば幼児と比較して指先が器用であることから、摘み部に指を引っ掛けて摘み部を操作することができる。そして、捲り上がった摘み部に上記対象者の指をあてた状態で、蓋体を枠体に対して引き上げてヒンジ回りに回動させる。蓋体を枠体に対してヒンジ回りに回動させると、第１係止部と第２係止部との係止状態が解除される。ここで、摘み部が捲り上がることによって摘み部と上記対象者との指との接触面積が増大するので、上記対象者に対する箱型容器の開放操作性が向上する。これにより、箱型容器が開放される。
このように、上記非対象者よって摘み部が操作されることを規制しているため、箱型容器にチャイルドプルーフ機能を付与できる。
【０００８】
また、本発明では、前記枠周壁部のうち前記径方向で前記ヒンジに対向する部分には、前記蓋周壁部のうち前記径方向で前記ヒンジに対向する部分を前記ヒンジに向けて付勢する板バネ部が設けられてもよい。
この発明では、箱型容器を開放する際に蓋周壁部の内周面を径方向の外側に向けて押して板バネ部を弾性変形させることにより、摘み部が径方向外側に向けて弾性変位するので、上記対象者が摘み部を操作しやすくなる。また、板バネ部を復元変形させることにより、摘み部が枠フランジ部に対して径方向内側へ後退するので、上記非対象者によって箱型容器が開放されることをより確実に規制できる。
【発明の効果】
【０００９】
この発明にかかる箱型容器によれば、摘み部が枠フランジ部に対して径方向の外側へ十分に突出しておらず、上記非対象者よって摘み部が操作されることを規制する一方で、上記対象者にとっては摘み部を操作可能であるので、箱型容器にチャイルドプルーフ機能を付与できる。また、摘み部が捲り上がることによって摘み部と上記対象者との指との接触面積が増大するので、上記対象者に対する箱型容器の開放操作性が向上する。
【図面の簡単な説明】
【００１０】
【図１】本発明の第１実施形態にかかる箱型容器を示す上面図である。
【図２】図１の箱型容器を示すＡ−Ａ矢視断面図である。
【図３】図１の箱型容器を示すＢ−Ｂ矢視断面図である。
【図４】図１の箱型容器を示すＣ−Ｃ矢視断面図である。
【図５】図１の箱型容器を示すＤ−Ｄ矢視断面図である。
【図６】図１の箱型容器の使用方法を示す図である。
【図７】本発明の第２実施形態にかかる箱型容器を示す上面図である。
【図８】図７の箱型容器を示すＥ−Ｅ矢視断面図である。
【図９】図７の箱型容器の枠体の一部を示す斜視図である。
【図１０】図７の箱型容器を示すＦ−Ｆ矢視断面図である。
【図１１】図７の箱型容器を示すＧ−Ｇ矢視断面図である。
【図１２】図７の箱型容器の使用方法を示す図である。
【発明を実施するための形態】
【００１１】
以下、本発明による箱型容器の第１実施形態を、図面に基づいて説明する。
本実施形態にかかる箱型容器１は、図１から図３に示すように、内容物を収容する有底長方形筒状の容器本体２と、容器本体２に取り付けられた長方形状の枠体３と、枠体３にヒンジ４を介して連結され、枠体３の開口部を開閉可能に覆う長方形板状の蓋体５と、を備える。
以下、容器本体２の中心軸線を容器軸Ｏと称し、図２においてこの容器軸Ｏに沿って容器本体２の後述する底部１１から開口部に向かう方向を上方、その逆方向を下方と称する。また、容器軸Ｏから見た平面視で容器軸Ｏに交差する方向を径方向、容器軸Ｏ回りで周回する方向を周方向と称する。さらに、平面視で長方形状をなす容器本体２、枠体３及び蓋体５の長辺部分が延在する方向を左右方向、短辺部分が延在する方向を前後方向と称する。
【００１２】
容器本体２は、図２及び図３に示すように、平面視で長方形状の底部１１と、底部１１の外周縁から上方に延設された長方形筒状の胴部１２と、を備える。また、胴部１２の上端には、径方向外側に向けて容器フランジ部１３が全周にわたって突設されている。これら底部１１、胴部１２及び容器フランジ部１３は、容器軸Ｏと同軸に配設されている。
【００１３】
枠体３は、図１から図５に示すように、平面視で長方形環状の枠フランジ部２１と、枠フランジ部２１の内周縁から下方に向けて延設された長方形筒状の枠内周壁部（枠周壁部）２２と、枠フランジ部２１の外周縁から下方に向けて延設された長方形筒状の枠外周壁部２３と、を備える。これら枠フランジ部２１、枠内周壁部２２及び枠外周壁部２３は、容器軸Ｏと同軸に配設されている。
【００１４】
枠フランジ部２１は、容器フランジ部１３上に載置されている。また、枠フランジ部２１の前辺部及び後辺部には、後述する取付爪部２３Ａを成形する際に型抜きを可能とするための型抜き開口部２１Ａが形成されている。型抜き開口部２１Ａは、左右方向に間隔をあけて複数形成されている。
枠内周壁部２２の下端部には、径方向内側に向けて突出する第１係止突出部（第１係止部）２２Ａが全周にわたって形成されている。また、枠内周壁部２２の外周面は、容器本体２の胴部１２の内周面から離間している。
【００１５】
枠外周壁部２３の前壁部の下端部には、後方に向けて突出する取付爪部２３Ａが左右方向に間隔をあけて複数形成されており、枠外周壁部２３のうち後壁部の下端部にも、同様に、前方に向けて突出する取付爪部２３Ａが左右方向に間隔をあけて複数形成されている。これら取付爪部２３Ａは、平面視で型抜き開口部２１Ａと重なる位置に形成されており、容器フランジ部１３に対して下方から係止している。
【００１６】
蓋体５は、平面視で長方形環状の蓋フランジ部３１と、蓋フランジ部３１の内周縁から下方に向けて延設された長方形筒状の蓋周壁部３２と、外周縁が蓋周壁部３２の下端に接続された平面視で長方形状の蓋底壁部３３と、を備える。これら蓋フランジ部３１、蓋周壁部３２及び蓋底壁部３３は、容器軸Ｏと同軸に配設されている。
【００１７】
蓋フランジ部３１は、枠フランジ部２１上に載置されている。また、蓋フランジ部３１のうち前辺部の左右方向の中央部分には、摘み部３４が設けられている。
摘み部３４の前端位置は、枠フランジ部２１の前辺部の前端位置と同等となっており、枠フランジ部２１の前辺部の前端位置よりも若干前方に突出している。このように、「摘み部３４の前端位置が枠フランジ部２１の前辺部の前端位置と同等である」とは、大人などの箱型容器１を開放させることが許容されている対象者の指を引っ掛けづらいものの引っ掛けることは可能である程度に若干突出するものも含まれる。
【００１８】
また、蓋フランジ部３１の外周縁は、後端部の左右方向の中央部分を除き、平面視において枠フランジ部２１の外周縁よりも径方向内側に位置している。そして、蓋フランジ部３１のうち後端部の左右方向の中央部分は、枠フランジ部２１よりも後方へ突出しており、この部分の後端には、左右方向に延在する蓋外壁部３５が下方に向けて延設されている。蓋外壁部３５の下端は、ヒンジ４を介して枠外周壁部２３のうち後壁部の下端に連結されている。
【００１９】
蓋周壁部３２は、枠内周壁部２２よりも径方向内側で枠内周壁部２２に沿って延在しており、蓋周壁部３２の下端は、枠内周壁部２２の下端よりも下方に位置している。また、蓋周壁部３２の外周面は、枠内周壁部２２の内周面から離間している。さらに、蓋周壁部３２の前壁部のうち摘み部３４の左右両側における下端部には、前方に向けて突出し、枠内周壁部２２に形成された第１係止突出部２２Ａに対して下方から係止する一対の第２係止突出部（第２係止部）３２Ａが形成されている。
【００２０】
次に、以上のような構成の箱型容器１の使用方法を説明する。
まず、例えば図６（ａ）に示すように、上記対象者の片手の親指及び人差し指で枠外周壁部２３の前壁部の外面と蓋周壁部３２の前壁部の内面とを前後方向に挟み込む。このとき、親指の腹が摘み部３４の前端に引っ掛かり、図６（ｂ）に示すように、摘み部３４を蓋フランジ部３１の前辺部の後端を起点として捲り上げる。ここで、人差し指で蓋周壁部３２の前壁部を抑えているので、親指で摘み部３４を上方に引き上げようとしたときに摘み部３４が蓋周壁部３２の前壁部の下端ではなく上端を起点として上方に向けて回動しようとする。これにより、摘み部３４が蓋フランジ部３１の前辺部の後端を起点として捲り上がることがより確実に行われる。
【００２１】
なお、枠外周壁部２３の前壁部と蓋周壁部３２の前壁部とを前後方向に挟み込む際に、蓋周壁部３２の前壁部を容器本体２に対して前方へ押し込むことによって、蓋フランジ部３１の前辺部を前方へ変位させてもよい。これにより、枠フランジ部２１の前辺部に対する摘み部３４の前方への突出量が増大するので、上記対象者の指を摘み部３４の前端に引っ掛けやすくなる。このように枠外周壁部２３の前壁部と蓋周壁部３２の前壁部とを前後方向に挟み込む際に蓋周壁部３２の前壁部を容器本体２に対して前方へ押し込む場合には、摘み部３４の前端は、押し込む前において、枠フランジ部２１の前辺部の前端から突出していなくてもよい。
【００２２】
摘み部３４を捲り上げると、親指の腹と摘み部３４の下面との接触面積が増大し、摘み部３４を指で摘まみやすくなる。その後、摘み部３４を摘まみ上げることによって、図３において仮想線で示すように、蓋体５全体を枠体３に対してヒンジ４回りに回動させて引き上げる。
なお、蓋体５を引き上げている過程において、蓋周壁部３２の前壁部がこの前壁部の下端を起点として後方へ弾性変形することによって、第２係止突出部３２Ａと第１係止突出部２２Ａとの係止状態は、解除される。このようにして、箱型容器１を開放する。
【００２３】
開放した箱型容器１内の内容物を適宜取り出した後、蓋体５を枠体３に対してヒンジ４回りに逆方向に回動させ、さらに例えば蓋底壁部３３を下方へ押し込むことにより、第２係止突出部３２Ａと第１係止突出部２２Ａと再度係止させる。このようにして、箱型容器１を閉塞する。
一方、例えば幼児などの箱型容器１を開放させることが許容されていない非対象者が箱型容器１を開放させようとしても、摘み部３４が枠フランジ部２１の前辺部の前端に対して十分に前方に突出していないので、指で摘み部３４を捲り上げることが制限される。そのため、上記非対象者が箱型容器１を開放することが規制される。
以上のようにして、箱型容器１を使用する。
【００２４】
以上、本実施形態にかかる箱型容器１によれば、摘み部３４が枠フランジ部２１から前方へ十分に突出しておらず、上記非対象者にとっては摘み部３４に指を引っ掛けて引き上げる動作を行いにくいので、上記非対象者が摘み部３４を操作することが規制される。特に、蓋体５には上述した従来の箱型容器のように前壁部を有する外周壁部が設けられていないので、上記非対象者が蓋体５を掴んで意図せず容器本体２を開放する可能性をより確実に低減できる。一方、上記対象者は、例えば幼児と比較して指先が器用であり、摘み部３４を操作して箱型容器１を開放できる。これにより、箱型容器１にチャイルドプルーフ機能を有しつつ、対象者が確実に箱型容器１を開放させることができる。
また、摘み部３４が弾性変形可能であるので、箱型容器１の開放時に上記対象者が捲り上げた摘み部３４と上記対象者の指との接触面積が増大する。これにより、摘み部３４が操作しやすくなり、上記対象者に対する箱型容器１の開放操作性が向上する。
【００２５】
次に、本発明による箱型容器の第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００２６】
本実施形態にかかる箱型容器１００は、図７及び図８に示すように、容器本体２と、枠体１０１と、蓋体１０２と、を備える。
枠体１０１の枠内周壁部１０３の前壁部には、図８から図１１に示すように、後方に向けて突出する一対の板バネ部１０４が設けられている。一対の板バネ部１０４は、枠内周壁部１０３の前壁部において摘み部１０５の左右両側に間隔をあけて形成されている。
【００２７】
板バネ部１０４は、上端が枠フランジ部２１に繋がっており、前方から後方に向かうにしたがって下方に向かうように湾曲している。板バネ部１０４の下端部には、後方に向けて突出する第１係止突出部１０４Ａが形成されている。また、枠内周壁部１０３の前壁部のうち左右方向で板バネ部１０４が設けられる位置に対応する部分には、板バネ部１０４を成形するための型抜き切欠部１０３Ａが形成されている。
【００２８】
蓋体１０２の蓋周壁部１０６の下端部には、板バネ部１０４に形成された第１係止突出部１０４Ａに対して下方から係止する一対の第２係止突出部１０６Ａが形成されている。
蓋フランジ部１０７の前辺部は、第１実施形態における蓋フランジ部３１の前辺部よりも後退している。また、蓋フランジ部１０７に設けられた摘み部１０５の前端位置は、枠フランジ部２１の前辺部の前端位置と同等となっているが、枠フランジ部２１の前辺部の前端位置よりも若干後方に位置している。なお、蓋周壁部１０６の前壁部も、第１実施形態における蓋周壁部３２の前壁部よりも後退している。
【００２９】
以上のような構成の箱型容器１００の使用方法も、上述した第１実施形態にかかる箱型容器１の使用方法と同様である。
図１２（ａ）に示すように、片手の親指及び人差し指で枠外周壁部２３の前壁部と蓋周壁部１０６の前壁部とを前後方向に挟み、板バネ部１０４の後方付勢力に抗して蓋周壁部１０６の前壁部を前方に押す。これにより、蓋フランジ部１０７は、前方へ弾性変位し、摘み部１０５は、枠フランジ部２１の前端から若干前方に突出する。なお、このときに摘み部１０５が枠フランジ部２１の前端から突出する突出量は、上述した第１実施形態において摘み部３４が枠フランジ部２１から突出する突出量とほぼ同じとなっている。
その後、図１２（ｂ）に示すように、上述した第１実施形態にかかる箱型容器１と同様に、箱型容器１００を開放する。
【００３０】
以上、本実施形態にかかる箱型容器１００によっても、上述した第１実施形態にかかる箱型容器１と同様の効果を奏するが、蓋周壁部１０６の前壁部を前方へ押して板バネ部１０４を弾性変形させることによって、摘み部１０５が前方へ弾性変位するので、上記対象者が摘み部１０５を操作しやすくなる。そして、板バネ部１０４の復元変位に伴って摘み部１０５も後退するので、上記非対象者によって箱型容器１００が開放されることをより確実に規制できる。
【００３１】
なお、本発明は上記実施形態に限定されるものではなく、本発明の趣旨を逸脱しない範囲において種々の変更を加えることができる。
例えば、枠体及び蓋体は、ヒンジと共に一体的に形成されているが、別部材として形成した後に枠体もしくは蓋体と一体的に形成されたヒンジまたは別部材として形成されたヒンジによって互いに接続してもよい。
枠体は、枠外周壁部に設けられた取付爪部を容器フランジ部に係止させることによって容器本体に取り付けられているが、他の構造の係止手段や接着などの他の方法を用いて、容器本体に取り付けられてもよい。また、取付爪部は、枠外周壁部の前壁部および後壁部に設けられているが、側壁部など他の部分に形成されてもよい。さらに、枠体は、枠外周壁部を有さなくてもよい。
容器本体は、枠フランジ部が載置される容器フランジ部を有しているが、枠フランジ部が載置される構造であれば、容器フランジ部を有していなくてもよい。
摘み部は、蓋フランジ部の左右方向の中央部分に設けられているが、中央部分から左右方向のいずれかの方向にずらして設けられるなど、他の位置に設けられてもよい。また、摘み部の枠フランジ部の前辺部に対する突出量は、上記対象者の指を引っ掛けづらいものの引っ掛けることは可能である程度であれば、適宜変更してもよい。
板バネ部は、摘み部の左右両側に一対設けられているが、少なくとも１つ形成されていればよく、３つ以上形成されてもよい。また、板バネ部は、上端が枠フランジ部に繋がった形状となっているが、適宜他の形状とされてもよい。さらに、板バネ部は、蓋周壁部の前壁部を常時付勢するように構成されてもよい。
第１及び第２係止突出部は、枠周壁部のうちヒンジに対向する前壁部及び蓋周壁部のうちヒンジに対向する前壁部に各別に形成されているが、第１及び第２係止突出部が互いに係止することができれば、前壁部以外の他の位置に形成されてもよい。
容器本体、枠体及び蓋体など、各構成部材の説明において、「長方形状」などと記載しているが、円状や楕円状、三角形状のような他の多角形状など、適宜他の形状であってもよい。
【産業上の利用可能性】
【００３２】
この発明によれば、チャイルドプルーフ機能を有しつつ、箱型容器を開放させることが許容されている大人などの対象者が確実に箱型容器を開放させることができる箱型容器に関して、産業上の利用可能性が認められる。
【符号の説明】
【００３３】
１，１００  箱型容器、２  容器本体、３，１０１  枠体、４  ヒンジ、５，１０２  蓋体、２１  枠フランジ部、２２，１０３  枠内周壁部（枠周壁部）、２２Ａ，１０４Ａ  第１係止突出部（第１係止部）、３１，１０７  蓋フランジ部、３２，１０６  蓋周壁部、３２Ａ，１０６Ａ  第２係止突出部（第２係止部）、３４，１０５  摘み部、１０４  板バネ部
【図１】
2019131257.tif 000003
【図２】
2019131257.tif 000004
【図３】
2019131257.tif 000005
【図４】
2019131257.tif 000006
【図５】
2019131257.tif 000007
【図６】
2019131257.tif 000008
【図７】
2019131257.tif 000009
【図８】
2019131257.tif 000010
【図９】
2019131257.tif 000011
【図１０】
2019131257.tif 000012
【図１１】
2019131257.tif 000013
【図１２】
2019131257.tif 000014